(57)【要約】【課題】携帯性とディスプレイ拡張性とを備えた携帯端末機及び携帯端末機の駆動方法が提供される。【解決手段】閉じ状態で、第２本体２００のディスプレイ２２０が出力する映像が第１本体１００の透明ディスプレイ１２０を通じて透過し、開き状態で、透明ディスプレイ１２０とディスプレイ２２０とは独立して映像を出力し又は組み合わさることにより１つの映像を表現する関連した映像をそれぞれ１つに合わせた形態で映像を出力する。これによって、携帯性及びディスプレイの拡張性を有する携帯端末機を提供できる。【選択図】図３
2013097370.tif 000002
【特許請求の範囲】
【請求項１】
透明ディスプレイを含む第１本体と、
ディスプレイを含む第２本体と、
前記第１本体と前記第２本体とをヒンジ結合するヒンジ部と、を含み、
前記第１本体と前記第２本体とを重ねた閉じ状態では、前記第２本体の前記ディスプレイは映像を出力する第１ディスプレイモードで動作し、前記透明ディスプレイは前記ディスプレイの前記映像を透過する透明モードで動作し、
前記第１本体と前記第２本体とを並べた開き状態では、前記透明ディスプレイと前記ディスプレイとは共に映像を出力する第２ディスプレイモードで動作する携帯端末機。
【請求項２】
前記第１本体は、
前記透明ディスプレイの外面に配置される第１入力装置と、
前記透明ディスプレイの内面に配置される第２入力装置と、をさらに含み、
前記閉じ状態で、前記第２入力装置は前記ディスプレイの内面と対向し、前記第１入力装置は前記ディスプレイと連動する請求項１に記載の携帯端末機。
【請求項３】
前記第２本体は前記ディスプレイの前記内面に配置される第３入力装置をさらに含み、
前記開き状態で、前記第２入力装置は前記透明ディスプレイと連動し、前記第３入力装置は前記ディスプレイと連動する請求項２に記載の携帯端末機。
【請求項４】
前記第１、第２及び第３入力装置はタッチスクリーンパネルである請求項３に記載の携帯端末機。
【請求項５】
前記第２ディスプレイモードはデュアルディスプレイモードであり、前記デュアルディスプレイモードにおいて、前記透明ディスプレイと前記ディスプレイとは、独立して映像を出力する請求項１に記載の携帯端末機。
【請求項６】
前記第２ディスプレイモードはシングルディスプレイモードであり、前記シングルディスプレイモードにおいては、前記透明ディスプレイと前記ディスプレイとは、相互に関連する映像をそれぞれ出力し、出力された映像が組み合わさることにより１つの映像を表現する請求項１に記載の携帯端末機。
【請求項７】
前記映像の横方向と縦方向とが転換されるように、前記透明ディスプレイと前記ディスプレイとを制御する制御部をさらに含む請求項６に記載の携帯端末機。
【請求項８】
前記透明ディスプレイは透明有機発光ダイオード（ＴＯＬＥＤ）である請求項１〜７のいずれか１項に記載の携帯端末機。
【請求項９】
透明ディスプレイを含む第１本体と、
ディスプレイを含む第２本体と、
前記第１本体と前記第２本体とをヒンジ結合するヒンジ部と、
前記第１本体と前記第２本体との閉じ状態及び開き状態を検出するセンサー部と、
前記センサー部から検出信号を受信し、前記透明ディスプレイ及び前記ディスプレイを制御する制御部と、を含み、
前記制御部は、
前記閉じ状態では、前記第２本体の前記ディスプレイを第１ディスプレイモードで動作させ、前記透明ディスプレイを前記ディスプレイの前記映像を透過する透明モードで動作させ、
前記開き状態では、前記透明ディスプレイと前記ディスプレイとを共に映像を出力する第２ディスプレイモードで動作させる携帯端末機。
【請求項１０】
前記第１本体は、前記透明ディスプレイの外面に配置される第１タッチスクリーンパネルと、前記透明ディスプレイの内面に配置される第２タッチスクリーンパネルと、をさらに含み、
前記第２本体は、前記ディスプレイの内面に配置される第３タッチスクリーンパネルをさらに含み、
前記制御部は、前記閉じ状態で、前記第１タッチスクリーンパネルを活性化し、前記開き状態で、前記第２及び第３タッチスクリーンパネルを活性化する請求項９に記載の携帯端末機。
【請求項１１】
前記制御部から制御信号を受信し、前記第１及び第３タッチスクリーンパネルの中でいずれか１つと前記ディスプレイの間の連動関係を変更するスイッチング部をさらに含み、
前記スイッチング部は、前記閉じ状態では前記ディスプレイに前記第１タッチスクリーンパネルを連動させ、前記開き状態では前記ディスプレイに前記第３タッチスクリーンパネルを連動させる請求項１０に記載の携帯端末機。
【請求項１２】
第１本体と第２本体とを有する折り畳み式携帯端末機について、前記第１本体と前記第２本体とを重ねた閉じ状態と前記第１本体と前記第２本体とを並べた開き状態とを検出することと、
前記閉じ状態で、前記第１本体の透明ディスプレイが前記第２本体のディスプレイが出力する第１映像を透過させることと、
前記開き状態で、前記透明ディスプレイと前記ディスプレイとが第２及び第３映像を出力することを含む携帯端末機の駆動方法。
【請求項１３】
前記閉じ状態で、前記第１本体の外面に提供された第１タッチスクリーンパネルを活性化することと、
前記第１タッチスクリーンパネルを前記ディスプレイに連動させることをさらに含む請求項１２に記載の携帯端末機の駆動方法。
【請求項１４】
前記開き状態で、前記第１本体の内面に提供された第２タッチスクリーンパネルと、前記第２本体の内面に提供された第３タッチスクリーンパネルとを活性化することと、
前記第２タッチスクリーンパネルを前記透明ディスプレイに連動させ、前記第３タッチスクリーンパネルを前記ディスプレイに連動させることをさらに含む請求項１２または請求項１３に記載の携帯端末機の駆動方法。
【請求項１５】
前記開き状態で、前記透明ディスプレイと前記ディスプレイとは、相互に関連する第２映像および第３映像をそれぞれ出力し、第２映像および第３映像が組み合わさることにより１つの映像を表現する請求項１２または請求項１３に記載の携帯端末機の駆動方法。
【請求項１６】
前記開き状態で、前記透明ディスプレイと前記ディスプレイとは、独立して前記第２及び第３映像を出力する請求項１２または請求項１３に記載の携帯端末機の駆動方法。
【請求項１７】
所定期間、前記折り畳み式携帯端末機にキー入力がなければ、前記透明ディスプレイ及び前記ディスプレイの活性化状態を待機状態に変更することと、
前記待機状態で、前記折り畳み式携帯端末機に前記キー入力があれば、前記透明ディスプレイ及び前記ディスプレイの前記待機状態を前記活性化状態に変更することをさらに含む請求項１２〜１６のいずれか１項に記載の携帯端末機の駆動方法。
【発明の詳細な説明】
【技術分野】
【０００１】
本発明は携帯端末機及び携帯端末機の駆動方法に関する。より詳細には、携帯端末機のディスプレイ装置及びこれを駆動する方法に関する。
【背景技術】
【０００２】
携帯端末機は通信、音楽／動画の再生、デジタルカメラ、放送受信、ゲーム等の多様な機能を遂行でき、この機能の支援のためにディスプレイ装置を必要とする。最近では、使用者の便宜性を高めるため、表示機能のみでなく入力機能を全て遂行できるタッチスクリーンがディスプレイ装置として主に使用されている。
【先行技術文献】
【特許文献】
【０００３】
【特許文献１】韓国特許公開第１０−２０１０−００８８２３９号公報
【発明の概要】
【発明が解決しようとする課題】
【０００４】
本発明の目的は、携帯性とディスプレイ拡張性とを備えた携帯端末機及び携帯端末機の駆動方法を提供することにある。
【課題を解決するための手段】
【０００５】
上記した課題を達成するために本発明の実施形態による携帯端末機は、透明ディスプレイを含む第１本体と、ディスプレイを含む第２本体と、前記第１本体と前記第２本体をヒンジ結合するヒンジ部と、を含み、前記第１本体と前記第２本体とを重ねた閉じ状態では、前記第２本体の前記ディスプレイは映像を出力する第１ディスプレイモードで動作し、前記透明ディスプレイは前記ディスプレイの前記映像を透過する透明モードで動作し、前記第１本体と前記第２本体とを並べた開き状態では、前記透明ディスプレイと前記ディスプレイとは共に映像を出力する第２ディスプレイモードで動作する。
【０００６】
本発明の実施形態によれば、前記第１本体は、前記透明ディスプレイの外面に配置される第１入力装置と、前記透明ディスプレイの内面に配置される第２入力装置と、をさらに含み、前記閉じ状態で、前記第２入力装置は前記ディスプレイの内面と対向し、前記第１入力装置は前記ディスプレイと連動できる。
【０００７】
本発明の実施形態によれば、前記第２本体は前記ディスプレイの前記内面に配置される第３入力装置をさらに含み、前記開き状態で、前記第２入力装置は前記透明ディスプレイと連動し、前記第３入力装置は前記ディスプレイと連動できる。
【０００８】
本発明の実施形態によれば、前記第１、第２及び第３入力装置はタッチスクリーンパネルでよい。
【０００９】
本発明の実施形態によれば、前記第２ディスプレイモードはデュアルディスプレイモードであり、前記デュアルディスプレイモードにおいて、前記透明ディスプレイと前記ディスプレイとは、独立して映像を出力することができる。
【００１０】
本発明の実施形態によれば、前記第２ディスプレイモードはシングルディスプレイモードであり、前記シングルディスプレイモードにおいて、前記透明ディスプレイと前記ディスプレイとは、相互に関連する映像をそれぞれ出力し、出力された映像が組み合わさることにより１つの映像を表現することができる。
【００１１】
本発明の実施形態によれば、前記映像の横方向と縦方向とが転換されるように、前記透明ディスプレイと前記ディスプレイとを制御する制御部をさらに包含できる。
【００１２】
本発明の実施形態によれば、前記透明ディスプレイは透明有機発光ダイオード（ＴＯＬＥＤ）でよい。
【００１３】
上記した課題を達成するために本発明の実施形態による携帯端末機は、透明ディスプレイを含む第１本体と、ディスプレイを含む第２本体と、前記第１本体と前記第２本体をヒンジ結合するヒンジ部と、前記第１本体と前記第２本体の閉じ状態及び開き状態を検出するセンサー部と、前記センサー部から検出信号を受信し、前記透明ディスプレイ及び前記ディスプレイを制御する制御部と、を含み、前記制御部は、前記閉じ状態では、前記第２本体の前記ディスプレイを第１ディスプレイモードで動作させ、前記透明ディスプレイは前記ディスプレイの前記映像を透過する透明モードで動作させ、前記開き状態では、前記透明ディスプレイと前記ディスプレイを共に映像を出力する第２ディスプレイモードで動作させる。
【００１４】
本発明の実施形態によれば、前記第１本体は、前記透明ディスプレイの外面に配置される第１タッチスクリーンパネルと、前記透明ディスプレイの内面に配置される第２タッチスクリーンパネルと、をさらに含み、前記第２本体は、前記ディスプレイの内面に配置される第３タッチスクリーンパネルをさらに含み、前記制御部は、前記閉じ状態で前記第１タッチスクリーンパネルを活性化し、前記開き状態で前記第２及び第３タッチスクリーンパネルを活性化することができる。
【００１５】
本発明の実施形態によれば、前記制御部から制御信号を受信し、前記第１及び第３タッチスクリーンパネルの中でいずれか１つと前記ディスプレイとの間の連動関係を変更するスイッチング部をさらに含み、前記スイッチング部は、前記閉じ状態では前記ディスプレイに前記第１タッチスクリーンパネルを連動させ、前記開き状態では前記ディスプレイに前記第３タッチスクリーンパネルを連動させ得る。
【００１６】
上記した課題を達成するために本発明の実施形態による携帯端末機の駆動方法は、第１本体と第２本体とを有する折り畳み式携帯端末機について、前記第１本体と前記第２本体とを重ねた閉じ状態と前記第１本体と前記第２本体とを並べた開き状態とを検出することと、前記閉じ状態で、前記第１本体の透明ディスプレイが前記第２本体のディスプレイが出力する第１映像を透過させることと、前記開き状態で、前記透明ディスプレイと前記ディスプレイとが第２及び第３映像を出力することを含む。
【００１７】
本発明の実施形態によれば、前記閉じ状態で、前記第１本体の外面に提供された第１タッチスクリーンパネルを活性化することと、前記第１タッチスクリーンパネルを前記ディスプレイに連動させることと、をさらに含むことができる。
【００１８】
本発明の実施形態によれば、前記開き状態で、前記第１本体の内面に提供された第２タッチスクリーンパネルと、前記第２本体の内面に提供された第３タッチスクリーンパネルとを活性化することと、前記第２タッチスクリーンパネルを前記透明ディスプレイに連動させ、前記第３タッチスクリーンパネルを前記ディスプレイに連動させることと、をさらに含むことができる。
【００１９】
本発明の実施形態によれば、前記開き状態で、前記透明ディスプレイと前記ディスプレイとは、相互に関連する第２映像および第３映像をそれぞれ出力し、第２映像および第３映像が組み合わさることにより１つの映像を表現することができる。
【００２０】
本発明の実施形態によれば、前記開き状態で、前記透明ディスプレイと前記ディスプレイは、それぞれ前記第２及び第３映像を出力することができる。
【００２１】
本発明の実施形態によれば、所定期間、前記折り畳み式携帯端末機にキー入力がなければ、前記透明ディスプレイ及び前記ディスプレイの活性化状態を待機状態に変更することと、前記待機状態で前記折り畳み式携帯端末機に前記キー入力があれば、前記透明ディスプレイ及び前記ディスプレイの前記待機状態を前記活性化状態に変更することと、をさらに含むことができる。
【発明の効果】
【００２２】
本発明によると、携帯性とディスプレイの拡張性とを有する携帯端末機を提供できる。
【図面の簡単な説明】
【００２３】
以下に説明された図面は単なる例示であり、本発明の範囲を制限するものではない。
【図１】本発明の実施形態による折り畳み式携帯端末機の側面図である。
【図２】本発明の実施形態による折り畳み式携帯端末機の平面図である。
【図３】本発明の実施形態による折り畳み式携帯端末機の駆動部を示すブロック図である。
【図４】本発明の実施形態による折り畳み式携帯端末機の駆動方法を示す図面である。
【図５】閉じ状態で、折り畳み式携帯端末機の動作を示す図面である。
【図６】開き状態で、折り畳み式携帯端末機のデュアルディスプレイモードを示す図面である。
【図７】開き状態で、折り畳み式携帯端末機のシングルディスプレイモードを示す図面である。
【発明を実施するための形態】
【００２４】
本発明は多様な変更を加えることができ、様々な形態を有することができるので、特定実施形態を図面に例示し、本文で詳細に説明する。しかし、これは本発明を特定な開示形態に対して限定しようとするものではなく、本発明の思想及び技術範囲に含まれる全て変更、均等物乃至代替物を含むものとして理解しなければならない。  各図面の説明では、同様の参照符号を、同様の構成要素に対して使用した。添付された図面において、構造物の寸法は本発明を明確に説明するために実際より拡大して示している場合もある。
【００２５】
第１、第２等の用語は多様な構成要素を説明するために使用されるが、前記構成要素は前記用語によって限定されない。前記用語は１つの構成要素を他の構成要素と区別する目的のみに使用される。例えば、本発明の権利範囲を逸脱しなければ、第１構成要素は第２構成要素と称されてもよいし、同様に第２構成要素も第１構成要素と称されてもよい。単数の表現は文脈上で明確に異なるように意味しない限り、複数の表現を含む。
【００２６】
本出願で、“包含する”又は“有する”等の用語は明細書上に記載された特徴、数字、段階、動作、構成要素、部品又はこれらを組合せたものが存在することを示すものであるが、１つ又はそれ以上の異なる特徴や数字、段階、動作、構成要素、部品又はこれらを組合せたものの存在又は付加可能性を予め排除しないものとして理解しなければならない。また、層、膜、領域、板等の部分が他の部分の“上に”あるとする場合、これは他の部分の“直上に”にある場合のみでなく、その間に介在するものがある場合も含む。反対に層、膜、領域、板等の部分が他の部分の“下に”あるとする場合、これは他の部分の“直下に”にある場合のみでなく、その間に介在するものがある場合も含む。
【００２７】
以下、添付した図１乃至図７を参照して本発明の望ましい実施形態を詳細に説明する。
（実施形態）
図１は本発明の実施形態による折り畳み式携帯端末機１０の側面図であり、図２は本発明の実施形態による折り畳み式携帯端末機１０の平面図である。
【００２８】
図１及び図２を参照すれば、折り畳み式携帯端末機１０は第１本体１００、第２本体２００、ヒンジ部３００、及び駆動部（図示せず）を含む。折り畳み式携帯端末機１０は、スマートフォンのような移動通信端末機、ＰＤＡ又はＰＭＰのようなマルチメディア再生装置でよい。
【００２９】
第１本体１００は第１ハウジング１１０、透明ディスプレイ１２０、第１入力装置１４０、及び第２入力装置１６０を含む。第１ハウジング１１０は透明ディスプレイ１２０を収容する。透明ディスプレイ１２０は、選択的に、光を透過させるか、或いは映像を出力することができる。透明ディスプレイ１２０は、例えば透明ＯＬＥＤ又は透明ＬＣＤでよい。第１入力装置１４０は透明ディスプレイ１２０の外面（ｅｘｔｅｒｎａｌ  ｓｕｒｆａｃｅ）１２２に配置される。第２入力装置１６０は透明ディスプレイ１２０の内面（ｉｎｔｅｒｎａｌ  ｓｕｒｆａｃｅ）１２４に配置される。第１本体１００と第２本体２００の閉じ状態を基準として、外面１２２は透明ディスプレイ１２０の外側に位置した面であり、内面１２４は透明ディスプレイ１２０の内側に位置した面である。第１及び第２入力装置１４０、１６０はタッチスクリーンパネルＴＳＰでよい。
【００３０】
第２本体２００は第２ハウジング２１０、ディスプレイ２２０、及び第３入力装置２４０を含む。第２ハウジング２１０はディスプレイ２２０を収容する。ディスプレイ２２０は、例えばＯＬＥＤ又はＬＣＤでよい。第３入力装置２４０はディスプレイ２２０の内面２２２に配置される。第１本体１００と第２本体２００との閉じ状態を基準として、内面２２２はディスプレイ２２０の内側に位置した面である。第３入力装置２４０はタッチスクリーンパネルＴＳＰでよい。
【００３１】
ヒンジ部３００は第１ハウジング１１０と第２ハウジング２１０をヒンジ結合する。ヒンジ部３００は第１ヒンジ部３２０と第２ヒンジ部３４０とを包含できる。図２の平面を基準として、第１ヒンジ部３２０は第１ハウジング１１０の右側上端と第２ハウジング２１０の左側上端とをヒンジ結合し、第２ヒンジ部３４０は第１ハウジング１１０の右側下端と第２ハウジング２１０の左側下端とをヒンジ結合する。ヒンジ結合によって、第１ハウジング１１０と第２ハウジング２１０とは互いに相対回転することができる。相対回転によって、第１本体１００と第２本体２００とは開閉され得る。
【００３２】
図３は本発明の実施形態による折り畳み式携帯端末機１０の駆動部４００を示すブロック図である。図３に示すように、駆動部４００はセンサー部４２０、制御部４４０、及びスイッチング部４６０を含む。
【００３３】
センサー部４２０は第１本体１００と第２本体２００との閉じ状態及び開き状態を検出し、検出信号を制御部４４０に伝達する。センサー部４２０はマグネチックセンサー又は近接認識センサーでよい。制御部４４０は検出信号に対応する制御信号を発生させ、第１乃至第３入力装置１４０、１６０、２４０、透明ディスプレイ１２０、ディスプレイ２２０、及びスイッチング部４６０に制御信号を伝達する。
【００３４】
第１乃至第３入力装置１４０、１６０、２４０、透明ディスプレイ１２０、及びディスプレイ２２０は制御部４４０の制御信号によって制御される。スイッチング部４６０は、制御部４４０から制御信号を受信し、第１及び第３入力装置１４０、２４０の中のいずれか１つと、ディスプレイ２２０を連動させる。閉じ状態である時、スイッチング部４６０は第１経路Ｐ１を通じて第１入力装置１４０とディスプレイ２２０とを連動させる。開き状態である時、スイッチング部４６０は、第２経路Ｐ２を通じて第３入力装置２４０とディスプレイ２２０とを連動させる。
【００３５】
以下では、図３と、図４乃至図７を参照して、本発明の実施形態による折り畳み式携帯端末機の駆動方法を詳細に説明する。
【００３６】
図４は本発明の実施形態による折り畳み式携帯端末機の駆動方法を示す図面である。図４では、便宜上、透明ディスプレイ１２０をＤＩＳＰ１と、ディスプレイ２２０をＤＩＳＰ２と、第１入力装置１４０をＴＳＰ１と、第２入力装置１６０をＴＳＰ２と、第３入力装置２４０をＴＳＰ３と、スイッチング部４６０をＳ／Ｗと表記する。
【００３７】
図３及び図４に示すように、先ず、センサー部４２０が折り畳み式携帯端末機の閉じ状態と開き状態とを検出する。制御部４４０はセンサー部４２０から検出信号を受信し、検出信号にしたがって折り畳み式携帯端末機の駆動を制御する（Ｓ０）。
【００３８】
例えば、閉じ状態である場合、制御部４４０は第１入力装置１４０を活性化（Ｏｎ）させ、第２及び第３入力装置１６０、２４０を非活性化（Ｏｆｆ）させる。そして、制御部４４０は透明ディスプレイ１２０を透明モードで動作させ、ディスプレイ２２０を第１ディスプレイモードで動作させる。透明モードは映像を出力することなく単純に光を透過させるモードであり、第１ディスプレイモードは映像を出力するモードである（Ｓ１）。スイッチング部４６０は第１経路Ｐ１を選択して第１入力装置１４０をディスプレイ２２０に連動させる（Ｓ２）。
【００３９】
上記のような方法によって、閉じ状態で、ディスプレイ２２０から出力された第１映像は透明ディスプレイ１２０を透過する（図５）。
【００４０】
上記のような駆動によって、折り畳み式携帯端末機が閉じた状態でも、透明ディスプレイ１２０を透過する映像を通じて出力情報の確認が可能であり、第１入力装置１４０を通じて情報の入力が可能である。例えば、折り畳み式携帯端末機が移動通信端末機である場合、端末機が閉じた状態でも着発信が可能である。このように、本発明の実施形態による折り畳み式携帯端末機は折り畳み式であるが、バー（Ｂａｒ）タイプのように使用されることがでるので、優秀な携帯性を有する。
【００４１】
また、折り畳み式携帯端末機が開き状態である場合には、例えば、制御部４４０は第１入力装置１４０を非活性化（Ｏｆｆ）させ、第２及び第３入力装置１６０、２４０を活性化（Ｏｎ）させる。そして、制御部４４０は透明ディスプレイ１２０とディスプレイ２２０とを第２ディスプレイモードで動作させる。第２ディスプレイモードは映像を出力するモードである。第２入力装置１６０は透明ディスプレイ１２０に連動される（Ｓ１’）。スイッチング部４６０は第２経路Ｐ２を選択して、第３入力装置２４０をディスプレイ２２０に連動させる（Ｓ２’）。
【００４２】
以後、第２入力装置１６０又は第３入力装置２４０の入力値によって、透明ディスプレイ１２０とディスプレイ２２０との映像表示モードが選択される（Ｓ３’）。例えば、デュアルディスプレイモードが選択された場合（Ｓ４’ａ）、透明ディスプレイ１２０とディスプレイ２２０とは独立して映像を出力する。透明ディスプレイ１２０は第２映像を出力し、ディスプレイ２２０は第３映像を出力する（図６）。例えば、透明ディスプレイ１２０が動画を出力する間に、ディスプレイ２２０は電子メールやインターネット画面を出力することができる。このような特徴によって、本発明の実施形態による折り畳み式携帯端末機は、１つのディスプレイを有する従来の携帯端末機に比べてディスプレイの拡張性を有する。
【００４３】
また、シングルディスプレイモードが選択された場合（Ｓ４’ｂ）、透明ディスプレイ１２０とディスプレイ２２０とは、それぞれ相互に関連する第２及び第３映像を出力する。第２映像および第３映像は、１つに組み合わさって大きな映像を表現（出力）する。第２及び第３映像を組み合わされて表現される映像は、１つの透明ディスプレイ１２０又は１つのディスプレイ２２０が出力する第２映像又は第３映像より２倍大きい。このような特徴によって、本発明の実施形態による折り畳み式携帯端末機は、１つのディスプレイを有する従来の携帯端末機に比べてディスプレイの拡張性を有する。一方、１つに合わせた形態の映像の横方向と縦方向とは制御部４４０によって転換できる（図７）。なお、第２映像および第３映像を１つに組み合わせて表現される映像は、必ずしも透明ディスプレイ１２０又はディスプレイ２２０の全領域を使って表現されなくてもよい。いかなる大きさであっても、透明ディスプレイ１２０及びディスプレイ２２０の第２映像および第３映像を組み合わせて映像が表現されればよい。
【００４４】
閉じ状態及び開き状態で所定期間（予め設定された期間であり、例えば、数分でよい）、第１乃至第３入力装置１４０、１６０、２４０にキー入力がなければ、透明ディスプレイ１２０及びディスプレイ２２０の活性化状態は待機状態に変更される（Ｓ３）。
【００４５】
待機状態で、第１乃至第３入力装置１４０、１６０、２４０を通じるインタラプトキー入力の可否を検出する（Ｓ４）。インタラプトキー入力があれば、透明ディスプレイ１２０及びディスプレイ２２０の待機状態が活性化状態に変更される。そして、再び、センサー部４２０が閉じ状態と開き状態とを検出し、上述した動作が反複される。
【００４６】
インタラプトキー入力がなければ、終了キー入力の可否を検出する（Ｓ５）。終了キー入力がなければ、待機状態が維持され、終了キー入力があれば、折り畳み式携帯端末機の動作を終了させる。
【符号の説明】
【００４７】
１００  第１本体、
１２０  透明ディスプレイ、
１４０  第１入力装置、
１６０  第２入力装置、２００  第２本体、
２２０  ディスプレイ、
２４０  第３入力装置、
３００  ヒンジ部、
４２０  センサー部、
４４０  制御部、
４６０  スイッチング部。
【図１】
2013097370.tif 000003
【図２】
2013097370.tif 000004
【図３】
2013097370.tif 000005
【図４】
2013097370.tif 000006
【図５】
2013097370.tif 000007
【図６】
2013097370.tif 000008
【図７】
2013097370.tif 000009